(57)【要約】【課題】より簡易的に水垢の生成を抑制することができるトイレ装置を提供することを目的とする。【解決手段】便器のボウルの表面を洗浄水により洗浄する洗浄手段と、前記洗浄手段の動作が終了した後、前記ボウルの表面に残存した水に空気を吹きかけることで前記水を前記ボウルの表面から吹き飛ばす吹き飛ばし手段と、を備えたことを特徴とするトイレ装置が提供される。【選択図】図２
2014062388.tif 000002
【特許請求の範囲】
【請求項１】
便器のボウルの表面を洗浄水により洗浄する洗浄手段と、
前記洗浄手段の動作が終了した後、前記ボウルの表面に残存した水に空気を吹きかけることで前記水を前記ボウルの表面から吹き飛ばす吹き飛ばし手段と、
を備えたことを特徴とするトイレ装置。
【請求項２】
前記吹き飛ばし手段は、前記便器のリム部に設けられ前記空気が前記ボウルの表面へ向かって吹き出される吹きかけ口を有することを特徴とする請求項１記載のトイレ装置。
【請求項３】
前記吹き飛ばし手段は、前記水を前記便器の溜水部へ向かって吹き飛ばすことを特徴とする請求項１または２に記載のトイレ装置。
【請求項４】
便蓋と、
前記便蓋の開閉および前記吹き飛ばし手段の駆動を制御する制御部と、
をさらに備え、
前記制御部は、前記便蓋が閉じた状態のときに、前記吹き飛ばし手段を駆動する制御を実行することを特徴とする請求項１〜３のいずれか１つに記載のトイレ装置。
【請求項５】
前記便器の後端部の上部に配置され使用者の局部を乾燥する局部乾燥手段をさらに備え、
前記吹き飛ばし手段は、前記局部乾燥手段と兼用されたことを特徴とする請求項１記載のトイレ装置。
【請求項６】
便蓋と、
前記便蓋の開閉および前記吹き飛ばし手段の駆動を制御する制御部と、
をさらに備え、
前記制御部は、前記便蓋が閉じた状態のときに、前記吹き飛ばし手段を駆動する制御を実行することを特徴とする請求項５記載のトイレ装置。  
【請求項７】
前記吹き飛ばし手段は、前記便蓋に空気を吹きかけることで、前記水を前記便器の溜水部へ向かって吹き飛ばすことを特徴とする請求項６記載のトイレ装置。
【請求項８】
前記局部乾燥手段は、前記空気を加熱する加熱手段を有し、
前記制御部は、前記使用者の局部を乾燥する際には前記加熱手段を駆動し、前記水を前記ボウルの表面から吹き飛ばす際には前記加熱手段を駆動せず、
前記水を前記ボウルの表面から吹き飛ばす際の前記空気の風速は、前記使用者の局部を乾燥する際の前記空気の風速よりも速いことを特徴とする請求項６または７に記載のトイレ装置。
【発明の詳細な説明】
【技術分野】
【０００１】
本発明の態様は、一般的に、トイレ装置に関する。
【背景技術】
【０００２】
例えば大便器あるいは小便器のボウル面を洗浄水で洗浄した後にボウル面に残った残水が蒸発してボウル面が乾燥すると、水垢がボウル面に付着することがある。水垢がボウル面に付着すると、ボウル面が汚れてしまう。また、水垢はボウル面に強固に付着しているため、水垢を取り除くことは難しい。そのため、水垢の生成を抑制する技術が求められている。さらに、ケイ酸成分の水垢は、カルシウム成分やマグネシウム成分などの水垢よりも強固に便器の釉薬表面に固着する。そのため、ケイ酸成分の水垢を容易に除去できる技術が切望されている。
【０００３】
ここで、カルシウムイオンおよびマグネシウムイオンを主成分とするスケールの付着を防止する衛生洗浄装置がある（特許文献１）。しかし、特許文献１に記載された衛生洗浄装置では、装置が大掛かりになるという問題がある。  
次に、ｐＨ４〜６の水素イオン濃度を有する殺菌性上水を生成し、その殺菌性上水を被洗浄物体に供給する殺菌性上水供給式洗浄用住設機器がある（特許文献２）。また、洗浄操作がなされて所定時間が経過した後に、機能水をボウル部へ吐出する水栓式大便器がある（特許文献３）。しかし、特許文献２および特許文献３には、ケイ酸成分の水垢に関する記載はない。水垢の生成を抑制する点においては、改善の余地がある。
【先行技術文献】
【特許文献】
【０００４】
【特許文献１】特開２００４−２７０１８５号公報
【特許文献２】特開平７−１３６６６０号公報
【特許文献３】特開２００４−９２２７８号公報
【発明の概要】
【発明が解決しようとする課題】
【０００５】
本発明は、かかる課題の認識に基づいてなされたものであり、より簡易的に水垢の生成を抑制することができるトイレ装置を提供することを目的とする。
【課題を解決するための手段】
【０００６】
第１の発明は、便器のボウルの表面を洗浄水により洗浄する洗浄手段と、前記洗浄手段の動作が終了した後、前記ボウルの表面に残存した水に空気を吹きかけることで前記水を前記ボウルの表面から吹き飛ばす吹き飛ばし手段と、を備えたことを特徴とするトイレ装置である。
【０００７】
このトイレ装置によれば、吹き飛ばし手段は、ボウルの表面に残存した水に空気を吹きかけることで、ボウルの表面に残存した水をボウルの表面から吹き飛ばす。これにより、より簡易的に、ボウルの表面における水垢の生成を抑制することができる。そのため、ボウルの表面に水垢が生成し難いトイレ装置を提供することができる。
【０００８】
第２の発明は、第１の発明において、前記吹き飛ばし手段は、前記便器のリム部に設けられ前記空気が前記ボウルの表面へ向かって吹き出される吹きかけ口を有することを特徴とするトイレ装置である。
【０００９】
このトイレ装置によれば、吹き飛ばし手段は、便器のリム部に設けられた吹きかけ口を有する。そのため、吹き飛ばし手段は、ボウルの表面に比較的近い距離から空気を水に吹きかけることができる。そのため、吹き飛ばし手段は、ボウルの表面に残存した水を効率よく吹き飛ばすことができる。
【００１０】
第３の発明は、第１または第２の発明において、前記吹き飛ばし手段は、前記水を前記便器の溜水部へ向かって吹き飛ばすことを特徴とするトイレ装置である。
【００１１】
このトイレ装置によれば、ボウルの表面に残存した水は、溜水部へ向かって吹き飛ばされる。そのため、ボウルの表面に残存した水がトイレ装置の外へ吹き飛ばされることを抑制することができる。
【００１２】
第４の発明は、第１〜第３のいずれか１つの発明において、便蓋と、前記便蓋の開閉および前記吹き飛ばし手段の駆動を制御する制御部と、をさらに備え、前記制御部は、前記便蓋が閉じた状態のときに、前記吹き飛ばし手段を駆動する制御を実行することを特徴とするトイレ装置である。
【００１３】
このトイレ装置によれば、吹き飛ばし手段がボウルの表面に残存した水を吹き飛ばす際には、便蓋は、閉じた状態である。そのため、ボウルの表面に残存した水がトイレ装置の外へ吹き飛ばされることをより確実に抑制することができる。これにより、水が使用者にかかることを抑制することができる。
【００１４】
第５の発明は、第１の発明において、前記便器の後端部の上部に配置され使用者の局部を乾燥する局部乾燥手段をさらに備え、前記吹き飛ばし手段は、前記局部乾燥手段と兼用されたことを特徴とするトイレ装置である。
【００１５】
このトイレ装置によれば、吹き飛ばし手段は、局部乾燥手段と兼用されている。そのため、吹き飛ばし手段を局部乾燥手段とは別に設ける必要はない。これにより、より簡易的に、ボウルの表面における水垢の生成を抑制することができる。
【００１６】
第６の発明は、第５の発明において、便蓋と、前記便蓋の開閉および前記吹き飛ばし手段の駆動を制御する制御部と、をさらに備え、前記制御部は、前記便蓋が閉じた状態のときに、前記吹き飛ばし手段を駆動する制御を実行することを特徴とするトイレ装置である。
【００１７】
このトイレ装置によれば、吹き飛ばし手段がボウルの表面に残存した水を吹き飛ばす際には、便蓋は、閉じた状態である。そのため、ボウルの表面に残存した水がトイレ装置の外へ吹き飛ばされることをより確実に抑制することができる。これにより、水が使用者にかかることを抑制することができる。
【００１８】
第７の発明は、第６の発明において、前記吹き飛ばし手段は、前記便蓋に空気を吹きかけることで、前記水を前記便器の溜水部へ向かって吹き飛ばすことを特徴とするトイレ装置である。
【００１９】
このトイレ装置によれば、吹き飛ばし手段は、ボウルの後部に配置されていても、閉じた状態の便蓋に空気を吹きかけることで、ボウルの表面の略全体に残存した水を溜水部へ吹き飛ばすことができる。そのため、ボウルの表面の略全体において、水垢の生成が抑制される。
【００２０】
第８の発明は、第６または第７の発明において、前記局部乾燥手段は、前記空気を加熱する加熱手段を有し、前記制御部は、前記使用者の局部を乾燥する際には前記加熱手段を駆動し、前記水を前記ボウルの表面から吹き飛ばす際には前記加熱手段を駆動せず、前記水を前記ボウルの表面から吹き飛ばす際の前記空気の風速は、前記使用者の局部を乾燥する際の前記空気の風速よりも速いことを特徴とするトイレ装置である。
【００２１】
このトイレ装置によれば、制御部は、水をボウルの表面から吹き飛ばす際には加熱手段を駆動しない。そのため、吹き飛ばし手段がボウルの表面から水を吹き飛ばす際には、加熱されていない空気がボウルの表面に残存した水に吹き付けられる。そのため、ボウルの表面に残存した水を、乾燥させることなくボウルの表面から吹き飛ばすことができる。また、水に吹き付けられる空気の風速が比較的速いため、ボウルの表面に残存した水を比較的素早く飛ばすことができる。これにより、水垢の生成が効率的に抑制される。
【発明の効果】
【００２２】
本発明の態様によれば、より簡易的に水垢の生成を抑制することができるトイレ装置が提供される。
【図面の簡単な説明】
【００２３】
【図１】本発明の実施の形態にかかるトイレ装置を表す模式的斜視図である。
【図２】本実施形態にかかるトイレ装置の要部構成を表すブロック図である。
【図３】本実施形態にかかるトイレ装置の動作の概略を例示するタイミングチャート図である。
【図４】本実施形態の吹き飛ばし手段の具体例を例示する模式図である。
【図５】本実施形態の吹き飛ばし手段の他の具体例を例示する模式的斜視図である。
【図６】本具体例の吹き飛ばし手段を例示する模式的断面図である。
【図７】本具体例の吹き飛ばし手段から吹き出される空気の風向きおよび風速を例示する模式的断面図である。
【図８】本実施形態の吹き飛ばし手段のさらに他の具体例を例示する模式的斜視図である。
【図９】本実施形態の吹き飛ばし手段のさらに他の具体例を例示する模式的斜視図である。
【図１０】本実施形態の吹き飛ばし手段のさらに他の具体例を例示する模式的斜視図である。
【発明を実施するための形態】
【００２４】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表す模式的斜視図である。  
図２は、本実施形態にかかるトイレ装置の要部構成を表すブロック図である。  
なお、図２は、水路系と電気系の要部構成を併せて表している。
【００２５】
図１に表したトイレ装置１０は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２６】
ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの操作部を操作すると、洗浄ノズル（以下説明の便宜上、単に「ノズル」と称する）４７３を便器８００のボウル８０１内に進出させることができる。なお、図１に表した衛生洗浄装置１００では、ノズル４７３がボウル８０１内に進出した状態を表している。
【００２７】
ノズル４７３の先端部には、ひとつあるいは複数の吐水口４７４が設けられている。そして、ノズル４７３は、その先端部に設けられた吐水口４７４から水を噴射して、便座２００に座った使用者の「おしり」などを洗浄することができる。  
但し、本実施形態では、便座２００に座った使用者の「おしり」などの洗浄を実現する身体洗浄機能部は、必ずしも設けられていなくともよい。
【００２８】
図２に表したように、衛生洗浄装置１００は、水道や貯水タンクなどの図示しない給水源から供給された水を噴霧ノズル４８１や洗浄手段４２０などに導く第１の流路１０１を有する。第１の流路１０１の上流側には、電磁弁４３１が設けられている。電磁弁４３１は、開閉可能な電磁バルブであり、ケーシング４００の内部に設けられた制御部４０５からの指令に基づいて水の供給を制御する。
【００２９】
電磁弁４３１の下流には、第１の切替弁４７１が設けられている。第１の切替弁４７１は、噴霧ノズル４８１や洗浄手段４２０への給水の開閉や切替を行う。第１の流路１０１は、第１の切替弁４７１により、洗浄手段４２０へ水を導く第２の流路１０２と、噴霧ノズル４８１などへ水を導く第３の流路１０３と、に分岐される。
【００３０】
第１の切替弁４７１の下流の第２の流路１０２の途中には、洗浄手段４２０が設けられている。洗浄手段４２０は、便器８００のボウル８０１の表面を洗浄水により洗浄する。
【００３１】
第１の切替弁４７１の下流の第３の流路１０３の途中には、殺菌水生成装置４５０が設けられている。殺菌水生成装置４５０は、例えば次亜塩素酸などを含む殺菌水を生成する。殺菌水生成装置４５０としては、例えば、電解槽ユニットが挙げられる。電解槽ユニットは、制御部４０５からの通電の制御によって、陽極板（図示せず）と陰極板（図示せず）との間の空間（流路）を流れる水道水を電気分解する。なお、殺菌水は、次亜塩素酸を含むものには限定されない。
【００３２】
殺菌水生成装置４５０の下流には、第２の切替弁４７２が設けられている。第２の切替弁４７２は、噴霧ノズル４８１への給水の開閉や切替を行う。第３の流路１０３は、第２の切替弁４７２により、噴霧ノズル４８１へ水を導く第４の流路１０４と、例えばノズル４７３などへ水を導く第５の流路１０５と、に分岐される。噴霧ノズル４８１は、第２の切替弁４７２から供給された殺菌水あるいは洗浄水をボウル８０１へ噴霧する。
【００３３】
例えばケーシング４００の下部には、ボウル８０１に紫外線（ＵＶ：ultraviolet）を照射するＵＶ光源４８３が設けられている。噴霧ノズル４８１およびＵＶ光源４８３は、ケーシング４００の内部に設けられていてもよいし、ケーシング４００の外部に付設されていてもよい。
【００３４】
また、本実施形態にかかるトイレ装置１０には、吹き飛ばし手段４６０が設けられている。吹き飛ばし手段４６０は、ボウル８０１の表面に残存した水に空気を吹きかけることで、ボウル８０１の表面に残存した水をボウル８０１の表面から吹き飛ばす。これについては、後に詳述する。  
本願明細書において、「吹き飛ばす」あるいは「吹き飛ばされる」には、物体の表面において「押し流す」あるいは「押し流される」ことが含まれるものとする。
【００３５】
制御部４０５は、図示しない電源回路から電力を供給され、トイレ室への使用者の入室を検知する入室検知センサ４０２や、便座２００の前方にいる使用者を検知する人体検知センサ４０３や、便座２００への使用者の着座を検知する着座検知センサ４０４や、操作部（例えばリモコン）などからの信号に基づいて、電磁弁４３１や、第１の切替弁４７１や、洗浄手段４２０や、殺菌水生成装置４５０や、第２の切替弁４７２や、ＵＶ光源４８３や、吹き飛ばし手段４６０や、噴霧ノズル４８１などの動作を制御することができる。
【００３６】
着座検知センサ４０４は、使用者が便座２００に着座する直前において便座２００の上方に存在する人体や、便座２００に着座した使用者を検知することができる。すなわち、着座検知センサ４０４は、便座２００に着座した使用者だけではなく、便座２００の上方に存在する使用者を検知することができる。このような着座検知センサ４０４としては、例えば、赤外線投受光式の測距センサなどを用いることができる。
【００３７】
人体検知センサ４０３は、便器８００の前方にいる使用者、すなわち便座２００から前方へ離間した位置に存在する使用者を検知することができる。つまり、人体検知センサ４０３は、トイレ室に入室して便座２００に近づいてきた使用者を検知することができる。このような人体検知センサ４０３としては、例えば、赤外線投受光式の測距センサなどを用いることができる。
【００３８】
入室検知センサ４０２は、トイレ室のドアを開けて入室した直後の使用者や、トイレ室に入室しようとしてドアの前に存在する使用者を検知することができる。つまり、入室検知センサ４０２は、トイレ室に入室した使用者だけではなく、トイレ室に入室する前の使用者、すなわちトイレ室の外側のドアの前に存在する使用者を検知することができる。このような入室検知センサ４０２としては、焦電センサや、ドップラーセンサなどのマイクロ波センサなどを用いることができる。マイクロ波のドップラー効果を利用したセンサや、マイクロ波を送信し反射したマイクロ波の振幅（強度）に基づいて被検知体を検出するセンサなどを用いた場合、トイレ室のドア越しに使用者の存在を検知することが可能となる。つまり、トイレ室に入室する前の使用者を検知することができる。
【００３９】
図１に表したトイレ装置１０では、ケーシング４００の上面に凹設部４０９が形成され、この凹設部４０９に一部が埋め込まれるように入室検知センサ４０２が設けられている。入室検知センサ４０２は、便蓋３００が閉じた状態では、その基部付近に設けられた透過窓３１０を介して使用者の入室を検知する。そして、例えば、入室検知センサ４０２が使用者を検知すると、制御部４０５は、入室検知センサ４０２の検知結果に基づいて便蓋３００を自動的に開くことができる。あるいは、入室検知センサ４０２が使用者を検知しなくなってから所定時間が経過すると、制御部４０５は、入室検知センサ４０２の検知結果に基づいて便蓋３００を自動的に閉じることができる。
【００４０】
着座検知センサ４０４および人体検知センサ４０３は、ケーシング４００の前方の中央部に設けられている。但し、着座検知センサ４０４、人体検知センサ４０３、および入室検知センサ４０２の設置形態は、これだけに限定されず、適宜変更することができる。
【００４１】
ケーシング４００には、便座２００に座った使用者の「おしり」などに向けて温風を吹き付けて乾燥させる「局部乾燥手段」や、「脱臭ユニット」や、「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。但し、本実施形態においては、「脱臭ユニット」や「室内暖房ユニット」などは、必ずしも設けられていなくともよい。局部乾燥手段については、後に詳述する。
【００４２】
ここで、洗浄手段４２０による洗浄動作が終了した後にボウル８０１に残った残水が蒸発してボウル８０１の表面が乾燥すると、水垢がボウル８０１に付着することがある。通常、残水中の水分が蒸発する過程でケイ酸濃度が増加すると、ケイ酸の重合が促進される。これにより、コーヒーステイン現象（液滴中の溶媒の蒸発によって溶質が液滴の外郭へ流動しリング状に堆積する現象）が起き、強固な水垢が形成される。水垢がボウル８０１に付着すると、ボウル８０１が汚れてしまう。また、水垢はボウル８０１に強固に付着しているため、水垢を取り除くことは難しい。
【００４３】
また、ボウル８０１の表面に光触媒層が形成されている場合において、光触媒層の表面に水垢が形成されると、その部位の光触媒の活性が著しく低下し、復元不能な場合がある。
【００４４】
すなわち、光触媒を活性化させるためには、あるいは光触媒の活性を維持するためには、光触媒層が形成されたボウル８０１の表面に紫外線を定期的に照射する必要がある。すなわち、光触媒は、紫外線を照射されると、励起して酸化還元反応を生ずる。その結果、雑菌や細菌や臭気物質などの有機物を分解する分解作用と、表面が水に濡れやすい親水作用と、を得ることができる。光触媒層がボウル８０１の表面に形成されている場合には、汚物の付着を抑制したり、汚物を分解できるため、便器８００の清掃負担を軽減し、きれいな便器８００を維持することができる。
【００４５】
ここで、本願明細書において、「光触媒」とは、光を照射すると、酸化作用および還元作用の少なくともいずれかが促進されるものをいう。あるいは、「光触媒」とは、光を照射すると、親水性が向上するものをいう。
【００４６】
「光触媒」の材料としては、例えば、金属の酸化物を用いることができる。そのような酸化物としては、例えば、酸化チタン（ＴｉＯｘ）、酸化亜鉛（ＺｎＯｘ）、酸化スズ（ＳｎＯｘ）などを挙げることができる。これらのうちでも、特に、酸化チタンは、光触媒として活性であり、また、安定性や安全性などの点でも優れる。
【００４７】
また、本願明細書において、「紫外線」とは、可視光線よりも波長が短く、軟Ｘ線よりも波長が長い光をいう。具体的には、波長が１０ナノメータ〜４００ナノメータの光をいう。
【００４８】
しかし、光触媒層の表面に水垢が形成されると、紫外線が水垢の下の光触媒層に照射されない。すると、光触媒の活性が著しく低下する場合がある。また、水膜がボウル８０１の表面に形成されている状態で、その水膜に紫外線が照射されると、ケイ酸の重合が促進される。そのため、光触媒層と強固に固着する水垢が形成される。これにより、その部位の光触媒の活性が著しく低下し、復元不能な場合がある。
【００４９】
これに対して、本実施形態にかかるトイレ装置１０では、制御部４０５は、洗浄手段４２０による洗浄動作が終了した後、ボウル８０１の表面が乾燥する前に、吹き飛ばし手段４６０を駆動させる。すると、吹き飛ばし手段４６０は、ボウル８０１の表面に残存した水に空気を吹きかけることで、ボウル８０１の表面に残存した水をボウル８０１の表面から吹き飛ばす。例えば、ボウル８０１の表面の水は、便器８００の溜水部８０５へ向かって吹き飛ばし手段４６０により吹き飛ばされる。
【００５０】
本実施形態によれば、より簡易的に、ボウル８０１の表面における水垢の生成を抑制することができる。そのため、ボウル８０１の表面に水垢が生成し難いトイレ装置１０を提供することができる。
【００５１】
次に、本実施形態にかかるトイレ装置１０の動作について、図面を参照しつつ説明する。  
図３は、本実施形態にかかるトイレ装置の動作の概略を例示するタイミングチャート図である。
【００５２】
例えば、使用者が操作部（例えばリモコン）などを操作すると、洗浄手段４２０は、制御部４０５からの信号に基づいて、便器８００のボウル８０１の表面を洗浄水により洗浄する（タイミングｔ１〜ｔ２）。洗浄手段４２０による洗浄動作が終了してから所定時間が経過すると、あるいは入室検知センサ４０２が使用者を検知しなくなってから所定時間が経過すると、制御部４０５は、便蓋３００を自動的に閉じる（タイミングｔ３）。制御部４０５が便蓋３００を閉じるトリガは、これだけに限定されない。例えば、制御部４０５は、着座検知センサ４０４や人体検知センサ４０３などからの信号に基づいて便蓋３００を自動的に閉じてもよい。
【００５３】
続いて、制御部４０５は、例えば第２の切替弁４７２（図２参照）および噴霧ノズル４８１の動作を制御し、噴霧ノズル４８１から殺菌水をボウル８０１へ噴霧する（タイミングｔ４〜ｔ５）。続いて、吹き飛ばし手段４６０は、ボウル８０１の表面が乾燥する前に、制御部４０５からの信号に基づいて駆動する。そして、吹き飛ばし手段４６０は、ボウル８０１の表面に残存した水に空気を吹きかけることで、ボウル８０１の表面に残存した水をボウル８０１の表面から吹き飛ばす。例えば、吹き飛ばし手段４６０により吹き飛ばされた水は、便器８００の溜水部８０５へ向かう。  
続いて、制御部４０５は、ＵＶ光源４８３の動作を制御し、ボウル８０１の表面に紫外線を照射する。
【００５４】
本実施形態によれば、ボウル８０１の表面に残存した水は、溜水部８０５へ向かって吹き飛ばされる。そのため、ボウル８０１の表面に残存した水がトイレ装置１０の外へ吹き飛ばされることを抑制することができる。また、吹き飛ばし手段４６０がボウル８０１の表面に残存した水を吹き飛ばす際には、便蓋３００は、閉じた状態である。そのため、ボウル８０１の表面に残存した水がトイレ装置１０の外へ吹き飛ばされることをより確実に抑制することができる。これにより、水が使用者にかかることを抑制することができる。
【００５５】
また、ボウル８０１の表面における水垢の生成が抑制されるため、ボウル８０１の表面に光触媒層が形成されている場合でも、光触媒の活性が著しく低下し、復元不能となることを抑制することができる。
【００５６】
次に、本実施形態の吹き飛ばし手段４６０の具体例について、図面を参照しつつ説明する。  
図４は、本実施形態の吹き飛ばし手段の具体例を例示する模式図である。  
なお、図４（ａ）は、本具体例の吹き飛ばし手段を例示する模式的平面図である。図４（ｂ）は、本具体例の吹き飛ばし手段を例示する模式的断面図である。説明の便宜上、図４（ａ）では、衛生洗浄装置１００を省略している。図４（ｂ）は、図４（ａ）に表した切断面Ａ−Ａにおける模式的断面図である。但し、説明の便宜上、図４（ｂ）に表した衛生洗浄装置１００は、平面図で表されている。
【００５７】
本具体例の便器８００は、リム部８０３を有する。リム部８０３は、ボウル８０１の上端の周縁部に設けられている。言い換えれば、リム部８０３は、便器８００の開口部の周縁部に設けられている。リム部８０３は、ボウル８０１へ向かって略水平に突出した突出部８０３ａを有する。突出部８０３ａの下面８０３ｂには、吹きかけ口８０４が形成されている。吹きかけ口８０４は、吹き飛ばし手段４６０の一部に含まれる。つまり、本具体例の吹き飛ばし手段４６０は、吹きかけ口８０４を有する。
【００５８】
本具体例の吹き飛ばし手段４６０は、送風部４６１を有する。送風部４６１は、例えばケーシング４００の内部に設けられ、空気を送り出す。送風部４６１から送り出された空気は、リム部８０３の内部を通り、図４（ｂ）に表した矢印Ａ１のように吹きかけ口８０４からボウル８０１の表面へ向かって吹き出される。これにより、本具体例の吹き飛ばし手段４６０は、ボウル８０１の表面に残存した水に空気を吹きかけ、ボウル８０１の表面に残存した水をボウル８０１の表面から吹き飛ばすことができる。また、吹きかけ口８０４がリム部８０３に設けられているため、本具体例の吹き飛ばし手段４６０は、ボウル８０１の表面に比較的近い距離から空気を水に吹きかけることができる。そのため、本具体例の吹き飛ばし手段４６０は、ボウル８０１の表面に残存した水を効率よく吹き飛ばすことができる。
【００５９】
図５は、本実施形態の吹き飛ばし手段の他の具体例を例示する模式的斜視図である。  
なお、図５は、便座２００および便蓋３００が開いた状態を表している。
【００６０】
本具体例の衛生洗浄装置１００は、便座２００に座った使用者の局部を乾燥させる局部乾燥手段を有する。局部乾燥手段は、ケーシング４００に内蔵されている。つまり、局部乾燥手段は、便器８００の後端部の上部に配置されている。本具体例では、吹き飛ばし手段４６０は、局部乾燥手段と兼用されている。
【００６１】
すなわち、本具体例の吹き飛ばし手段４６０は、送風部４６３と、配管部４６４と、ダンパー４６５と、を有する。送風部４６３および配管部４６４の少なくともいずれかの内部には、空気を加熱する加熱手段４６６が設けられている。配管部４６４の一端は、送風部４６３に接続されている。配管部４６４の他端は、ケーシング４００の前面４０６に接続されている。ケーシング４００の前面４０６に接続された配管部４６４の他端は、温風吹出口を形成する。ダンパー４６５は、温風吹出口を覆う閉止部材として機能する。吹き飛ばし手段４６０（局部乾燥手段）が使用者の局部などに向けて温風を吹き付ける際には、ダンパー４６５が開く。
【００６２】
図６は、本具体例の吹き飛ばし手段を例示する模式的断面図である。  
図７は、本具体例の吹き飛ばし手段から吹き出される空気の風向きおよび風速を例示する模式的断面図である。  
なお、図６および図７は、図５に表した切断面Ｂ−Ｂにおける模式的断面図である。図７（ａ）は、吹き飛ばし手段４６０が水を吹き飛ばす場合における空気の風向きおよび風速を例示する模式的断面図である。図７（ｂ）は、吹き飛ばし手段４６０が使用者の局部を乾燥する場合における空気の風向きおよび風速を例示する模式的断面図である。但し、説明の便宜上、図６〜図７（ｂ）に表した衛生洗浄装置１００は、平面図で表されている。
【００６３】
図７（ａ）に表した矢印Ａ３および図７（ｂ）に表した矢印Ａ４の向きは、空気の風向きを表している。図７（ａ）に表した矢印Ａ３および図７（ｂ）に表した矢印Ａ４の長さは、空気の風速を表している。相対的に長い矢印で表された風速は、相対的に短い矢印で表された風速よりも速い。言い換えれば、相対的に短い矢印で表された風速は、相対的に長い矢印で表された風速よりも遅い。
【００６４】
図６に表した矢印Ａ２のように、吹き飛ばし手段４６０が水を吹き飛ばす場合には、本具体例の吹き飛ばし手段４６０から吹き出された空気は、閉じた状態の便蓋３００へ向かう。便蓋３００へ向かった空気は、閉じた状態の便蓋３００の表面（ボウル８０１の側の面）で反射しボウル８０１の表面へ向かう。これにより、本具体例の吹き飛ばし手段４６０は、ボウル８０１の表面に残存した水に空気を吹きかけ、ボウル８０１の表面に残存した水をボウル８０１の表面から吹き飛ばすことができる。
【００６５】
本具体例の吹き飛ばし手段４６０は、ボウル８０１の後部に配置されていても、閉じた状態の便蓋３００に空気を吹きかけることで、ボウル８０１の表面の略全体に残存した水を溜水部８０５へ吹き飛ばすことができる。そのため、ボウル８０１の表面の略全体において、水垢の生成が抑制される。
【００６６】
図７（ｂ）に表した矢印Ａ４のように、吹き飛ばし手段４６０が便座２００に座った使用者の局部を乾燥する場合には、吹き飛ばし手段４６０から吹き出された空気は、略水平方向へ向かう。吹き飛ばし手段４６０が局部を乾燥するときの空気の風速は、吹き飛ばし手段４６０が水を吹き飛ばすときの空気の風速よりも遅い。吹き飛ばし手段４６０が便座２００に座った使用者の局部を乾燥する場合には、制御部４０５は、加熱手段４６６を駆動する。これにより、加熱された空気が使用者の局部に吹き付けられる。
【００６７】
これに対して、図７（ａ）に表した矢印Ａ３のように、吹き飛ばし手段４６０がボウル８０１の表面に残存した水を吹き飛ばす場合には、吹き飛ばし手段４６０から吹き出された空気は、閉じた状態の便蓋３００へ向かう。吹き飛ばし手段４６０が水を吹き飛ばすときの空気の風速は、吹き飛ばし手段４６０が局部を乾燥するときの空気の風速よりも速い。吹き飛ばし手段４６０が水を吹き飛ばす場合には、制御部４０５は、加熱手段４６６を駆動しない。
【００６８】
これによれば、加熱されていない空気がボウル８０１の表面に残存した水に吹き付けられる。そのため、ボウル８０１の表面に残存した水を、乾燥させることなくボウル８０１の表面から吹き飛ばすことができる。また、水に吹き付けられる空気の風速が比較的速いため、ボウル８０１の表面に残存した水を比較的素早く飛ばすことができる。これにより、水垢の生成が効率的に抑制される。
【００６９】
本具体例によれば、吹き飛ばし手段４６０が局部乾燥手段と兼用されているため、吹き飛ばし手段を局部乾燥手段とは別に設ける必要はない。これにより、より簡易的に、ボウル８０１の表面における水垢の生成を抑制することができる。
【００７０】
また、吹き飛ばし手段４６０が空気を吹き出す際には、便蓋３００は、閉じた状態である。そのため、ボウル８０１の表面に残存した水がトイレ装置１０の外へ吹き飛ばされることをより確実に抑制することができる。これにより、水が使用者にかかることを抑制することができる。
【００７１】
図８は、本実施形態の吹き飛ばし手段のさらに他の具体例を例示する模式的斜視図である。  
なお、図８（ａ）は、本具体例の吹き飛ばし手段を例示する模式的平面図である。図８（ｂ）は、本具体例の吹き飛ばし手段を例示する模式的断面図である。説明の便宜上、図８（ａ）では、便蓋３００およびケーシング４００を省略している。図８（ｂ）は、図８（ａ）に表した切断面Ｃ−Ｃにおける模式的断面図である。但し、説明の便宜上、図８（ｂ）に表した衛生洗浄装置１００は、平面図で表されている。
【００７２】
本具体例の便座２００は、吹きかけ口２０４を有する。吹きかけ口２０４は、吹き飛ばし手段４６０の一部に含まれる。つまり、本具体例の吹き飛ばし手段４６０は、吹きかけ口２０４を有する。図８（ａ）および図８（ｂ）に表したように、吹きかけ口２０４は、便座２００の下面に設けられ、ボウル８０１に臨んでいる。
【００７３】
本具体例の吹き飛ばし手段４６０は、送風部４６１を有する。本具体例の送風部４６１は、図４に関して前述した送風部と同様のものである。送風部４６１から送り出された空気は、便座２００の内部を通り、図８（ｂ）に表した矢印Ａ５のように吹きかけ口２０４からボウル８０１の表面へ向かって吹き出される。本具体例によれば、便器８００の構造をより簡略化しつつ、ボウル８０１の表面に残存した水に便座２００からの空気を吹き付けることで、その水をボウル８０１の表面から吹き飛ばすことができる。また、その他の効果についても、図４に関して前述した効果と同様の効果が得られる。
【００７４】
図９は、本実施形態の吹き飛ばし手段のさらに他の具体例を例示する模式的斜視図である。  
なお、図９（ａ）は、本具体例の吹き飛ばし手段を例示する模式的平面図である。図９（ｂ）は、本具体例の吹き飛ばし手段を例示する模式的断面図である。説明の便宜上、図９（ａ）では、ケーシング４００を省略している。図９（ｂ）は、図９（ａ）に表した切断面Ｄ−Ｄにおける模式的断面図である。但し、説明の便宜上、図９（ｂ）に表した衛生洗浄装置１００は、平面図で表されている。
【００７５】
本具体例の便蓋３００は、吹きかけ口３０４を有する。吹きかけ口３０４は、吹き飛ばし手段４６０の一部に含まれる。つまり、本具体例の吹き飛ばし手段４６０は、吹きかけ口３０４を有する。図９（ａ）に表したように、吹きかけ口３０４は、便蓋３００の下面に設けられ、ボウル８０１に臨んでいる。具体的には、トイレ装置１０を上方からみたときに、吹きかけ口３０４は、便座２００の開口部２０１の内側に相当する便蓋３００の下面に設けられている。言い換えれば、吹きかけ口３０４は、便座２００の開口部２０１を介してボウル８０１に臨んでいる。
【００７６】
本具体例の吹き飛ばし手段４６０は、送風部４６１を有する。本具体例の送風部４６１は、図４に関して前述した送風部と同様のものである。送風部４６１から送り出された空気は、便蓋３００の内部を通り、図９（ｂ）に表した矢印Ａ６のように吹きかけ口３０４からボウル８０１の表面へ向かって吹き出される。本具体例によれば、便器８００および便座２００の構造をより簡略化しつつ、ボウル８０１の表面に残存した水に便座２００からの空気を吹き付けることで、その水をボウル８０１の表面から吹き飛ばすことができる。また、その他の効果についても、図４に関して前述した効果と同様の効果が得られる。
【００７７】
図１０は、本実施形態の吹き飛ばし手段のさらに他の具体例を例示する模式的斜視図である。  
本具体例の吹き飛ばし手段４６０は、小便器９００に設けられている。つまり、本具体例のトイレ装置２０は、小便器９００を備える。本実施形態の吹き飛ばし手段４６０は、洋式腰掛便器８００に設けられることに限定されない。
【００７８】
例えば、本具体例の小便器９００は、ライニングユニット５２０を介して壁面５１０に取り付けられている。小便器９００は、リム部９０３を有する。リム部９０３は、小便器９００の開口部９０７の周縁部に設けられている。リム部９０３には、吹きかけ口９０４が形成されている。吹きかけ口９０４は、小便器９００のボウル９０１に臨んでいる。
【００７９】
吹きかけ口９０４は、吹き飛ばし手段４６０の一部に含まれる。つまり、本具体例の吹き飛ばし手段４６０は、吹きかけ口９０４を有する。  
本具体例の吹き飛ばし手段４６０は、送風部４６１を有する。本具体例の送風部４６１は、図４に関して前述した送風部と同様のものである。送風部４６１は、例えばライニングユニット５２０の内部に設けられている。
【００８０】
送風部４６１から送り出された空気は、リム部９０３の内部を通り、図１０（ｂ）に表した矢印Ａ７のように吹きかけ口９０４からボウル９０１の表面へ向かって吹き出される。これにより、本具体例の吹き飛ばし手段４６０は、ボウル９０１の表面に残存した水に空気を吹きかけ、ボウル９０１の表面に残存した水をボウル９０１の表面から吹き飛ばすことができる。また、吹きかけ口９０４がリム部９０３に設けられているため、本具体例の吹き飛ばし手段４６０は、ボウル９０１の表面に比較的近い距離から空気を水に吹きかけることができる。そのため、本具体例の吹き飛ばし手段４６０は、ボウル９０１の表面に残存した水を効率よく吹き飛ばすことができる。
【００８１】
ボウル９０１の表面に残存した水は、小便器９００の排水口９０５へ向かって吹き飛ばされる。そのため、ボウル９０１の表面に残存した水がトイレ装置２０の外へ吹き飛ばされることを抑制することができる。
【００８２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、吹き飛ばし手段４６０などが備える各要素の形状、寸法、材質、配置などや吹きかけ口８０４、２０４、３０４、９０４およびダンパー４６５（あるいは温風吹出口）の設置形態などは、例示したものに限定されるわけではなく適宜変更することができる。  
また、本実施形態では、吹き飛ばし手段４６０が洋式腰掛便器８００を備えるトイレ装置１０や小便器９００を備えるトイレ装置２０に設けられた場合を例に挙げて説明した。但し、吹き飛ばし手段４６０が設けられる装置は、これだけに限定されず、例えば洗面化粧台における手洗い器や、キッチンや、オストメイトなどであってもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８３】
１０、２０ トイレ装置、  １００ 衛生洗浄装置、  １０１ 第１の流路、  １０２ 第２の流路、  １０３ 第３２の流路、  １０４ 第４の流路、  １０５ 第５の流路、  ２００ 便座、  ２０１ 開口部、  ２０４ 吹きかけ口、  ３００ 便蓋、  ３０４ 吹きかけ口、  ３１０ 透過窓、  ４００ ケーシング、  ４０２ 入室検知センサ、  ４０３ 人体検知センサ、  ４０４ 着座検知センサ、  ４０５ 制御部、  ４０６ 前面、  ４０７ 排気口、  ４０８ 排出口、  ４０９ 凹設部、  ４２０ 洗浄手段、  ４３１ 電磁弁、  ４５０ 殺菌水生成装置、  ４６０ 吹き飛ばし手段、  ４６１ 送風部、  ４６３ 送風部、  ４６４ 配管部、  ４６５ ダンパー、  ４６６ 加熱手段、  ４７１ 第１の切替弁、  ４７２ 第２の切替弁、  ４７３ 洗浄ノズル、  ４７４ 吐水口、  ４８１ 噴霧ノズル、  ４８３ ＵＶ光源、  ５１０ 壁面、  ５２０ ライニングユニット、  ８００ 洋式腰掛便器、  ８０１ ボウル、  ８０３ リム部、  ８０３ａ 突出部、  ８０３ｂ 下面、  ８０４ 吹きかけ口、  ８０５ 溜水部、  ９００ 小便器、  ９０１ ボウル、  ９０３ リム部、  ９０４ 吹きかけ口、  ９０５ 排水口、  ９０７ 開口部
【図１】
2014062388.tif 000003
【図２】
2014062388.tif 000004
【図３】
2014062388.tif 000005
【図４】
2014062388.tif 000006
【図５】
2014062388.tif 000007
【図６】
2014062388.tif 000008
【図７】
2014062388.tif 000009
【図８】
2014062388.tif 000010
【図９】
2014062388.tif 000011
【図１０】
2014062388.tif 000012